(57)【要約】  本発明は、背もたれ（１２）及び／又は座面（１０）が、加熱及び／又は冷却層と、換気層（２８、４８）を貫流する空気を加熱及び／又は冷却するための加熱及び／又は冷却装置（４０、５８）とを備える換気装置（１４、１６）を有するパッド（１８、２０）を備える、自動車の座席に関する。本発明の目的は、座席を加熱及び冷却するために生成された温風流又は冷風流の作用により換気装置（１４、１６）を用いて、パッド（１８、２０）がより良好に加熱又は冷却する、自動車の座席を設計することにある。このようにするために、本発明の加熱及び／又は冷却装置（４０、５８）を、少なくとも１つの加熱及び／又は冷却層（７０、７０’、７０”）と、空気流を乱流及び拡散流に変換することが可能な構造（８０）を備える少なくとも１つの通気層（６６、６８）とを備えるサンドイッチ体（６４）の形態で供する。
2009502279.tif 000002
【特許請求の範囲】
【請求項１】
自動車の座席であって、その背もたれ（１２）及び／又は座面（１０）が、換気層（２８；４８）と、前記換気層（２８；４８）を貫流する空気を加熱及び／又は冷却するための加熱及び／又は冷却装置（４０；５８）とを備える換気装置（１４；１６）を有するパッド（１８；２０）を備え、
前記加熱及び／又は冷却装置（４０；５８）は、少なくとも１つの加熱及び／又は冷却層（７０、７０’、７０”）と、少なくとも１つの通気層（６６、６８）とを有するサンドイッチ体（６４）を備え、前記通気層（６６、６８）は、前記空気流を乱流及び／又は拡散流に変換することができる構造（８０）を有することを特徴とする自動車の座席。
【請求項２】
前記加熱及び／又は冷却装置（４０）が、前記換気層（２８）の内部に配置され、前記サンドイッチ体（６４）の厚さが、前記換気層（２８）に少なくとも実質的に適合されることを特徴とする請求項１に記載の自動車の座席。
【請求項３】
前記加熱及び／又は冷却装置（４０）が、前記換気層（２８）の吸気ダクト（３６）の内部に配置されることを特徴とする請求項１に記載の自動車の座席。
【請求項４】
前記加熱及び／又は冷却装置（４０）の下流に温度センサが配置されることを特徴とする請求項３に記載の自動車の座席。
【請求項５】
パッド層（２６）によって取り囲まれた前記加熱及び／又は冷却装置（４０）が、前記換気層（２８）の前記吸気ダクト（３６）の内部に配置されることを特徴とする請求項３あるいは４に記載の自動車の座席。
【請求項６】
前記加熱及び／又は冷却装置（４０）が、前記パッド（１８）のパッド層（２６）の外側に配置された前記換気層（２８）の前記吸気ダクト（３６）のダクト部分の内部に配置されることを特徴とする請求項３あるいは４に記載の自動車の座席。
【請求項７】
前記通気層（６６、６８）の前記構造（８０）が、複数のスペーサ糸（８４）、スペーサウェブ（８８）、スペーサワイヤ（８６）などを含むことを特徴とする請求項１に記載の自動車の座席。
【請求項８】
前記通気層（６６、６８）の前記構造（８０）が、編布から形成されることを特徴とする請求項１に記載の自動車の座席。
【請求項９】
前記通気層（６６、６８）の前記構造（８０）が、織布から形成されることを特徴とする請求項１に記載の自動車の座席。
【請求項１０】
前記通気層（６６、６８）の前記構造（８０）が、組み紐から形成されることを特徴とする請求項１に記載の自動車の座席。
【請求項１１】
前記通気層（６６、６８）の前記構造（８０）が、ウール、特にメタルウールのように向きを合わせずに設計されることを特徴とする請求項１に記載の自動車の座席。
【請求項１２】
前記通気層（６６、６８）の前記構造（８０）が、わずかに変形可能であるように構成されることを特徴とする請求項１に記載の自動車の座席。
【請求項１３】
前記加熱及び／又は冷却層（７０）に、暖気及び／又は冷気伝導性が良好な被覆層（７６）が関連付けられ、被覆層は、前記加熱及び／又は冷却層（７０）と前記通気層（６６、６８）との間に配置されることを特徴とする請求項１に記載の自動車の座席。
【請求項１４】
前記サンドイッチ体（６４）が、少なくとも３つの通気層（６６、６８）を備え、それぞれ中心通気層（６６）と外側通気層（６８）との間に１つの加熱及び／又は冷却層（７０）が配置されることを特徴とする請求項１に記載の自動車の座席。
【請求項１５】
前記中心通気層（６６）の前記構造（８０）が、前記外側通気層（６８）の前記構造（８０）よりも高い流れ抵抗を有することを特徴とする請求項１４に記載の自動車の座席。
【発明の詳細な説明】
【技術分野】
【０００１】
本発明は、自動車の座席に関し、その背もたれ（シートバック）及び／又は座面（シートクッション）が、請求項１の前段に記載する種類の換気装置を有するパッドを備える座席に関する。
【背景技術】
【０００２】
そのような自動車の座席は既に、特許文献１から知られており、そこでは、背もたれ及び／又は座面のパッドに、シート乗員の頭部、肩及び首領域に好ましくは温風を供給するための空気供給装置に加え、換気装置も組み込まれている。前記換気装置は、パッドを換気するための空気が循環できる、表面積の大きい換気層を備える。ファンによって生成された空気は、それゆえ、ダクトを介して換気層に供給される。パッドに暖気又は冷気のどちらを通気させるかに従って、前記空気を、ファンの下流に配置された加熱及び／又は冷却装置によって調整することができる。
【０００３】
パッドが換気装置を備えるさらなる車両の座席が、特許文献２及び特許文献３から知られている。この場合空気が、複数の小さなファンを介して換気層に送られて、換気層の空気吸込口から空気吹出口まで循環する。それゆえ、シート乗員が分泌する水分が、シートカバーの孔及びその下側に換気層のところまで配置された透湿性の支持層を通過し、そこで水分は、空気吹出口の方向への空気流によって換気層から排出される。
【０００４】
【特許文献１】独国特許出願公開第１００  ５４  ００８Ｂ４号明細書
【特許文献２】独国特許発明第１９６  ２８  ６９８Ｃ１号明細書
【特許文献３】独国特許発明第１９７  ０３  ５１６Ｃ１号明細書
【発明の開示】
【発明が解決しようとする課題】
【０００５】
本発明の目的は、背もたれ及び／又は座面のパッドを貫流する空気流が、加熱及び／又は冷却装置によって改良された態様で加熱及び／又は冷却され得るように、上述の種類の自動車の座席を改善することにある。
【課題を解決するための手段】
【０００６】
本目的は、請求項１の特徴を有する本発明による自動車の座席によって達成される。本発明の有利な実施形態及び有益で有意義な発展形態を、さらなる請求項に規定する。
【０００７】
請求項１によれば、加熱及び／又は冷却装置は、少なくとも１つの加熱及び／又は冷却層と、少なくとも１つの通気層とから形成されたサンドイッチ体を備える。本発明によれば通気層は、サンドイッチ体に入る空気流を乱流及び／又は拡散流に変換し得る構造を備える。そのような乱流及び／又は拡散流は、前記流れが、層流よりも暖気及び／又は冷気をはるかに多く吸収し得るという利点を有する。層流とは対照的に、この場合、例えば、波形のリブと直接接触する境界層だけでなく、空気の相当多くの部分も加熱／冷却される。さらに、生じた乱流及び／又は拡散流によって、空気流は通気層に長く留まるようになるので、より多くの暖気及び／又は冷気が吸収され得る。
【０００８】
その結果、本発明によるサンドイッチ体の構造によって、貫流する空気流の加熱及び／又は冷却に必要な加熱及び／又は冷却能力を、従来技術から公知の加熱及び／又は冷却装置と比較してかなり減少することができる。本発明による構造のさらなる利点は、貫流する空気流への暖気及び／又は冷気の出力を改善することによって、加熱及び／又は冷却装置の構造的な寸法を相当小さくできることである。
【０００９】
前記加熱及び／又は冷却装置が換気層の内部に直接配置される場合に、加熱及び／又は冷却装置のサンドイッチ体のとりわけ場所をとらない構成が提供される。それゆえ、発泡材料から形成されることが多い、換気層を支持するパッド層の内部において、サンドイッチ体の厚さが、換気層の厚さに少なくとも略適合される場合には、加熱及び／又は冷却装置のサンドイッチ体のために別個の凹部を設ける必要がない。特に単純な実施形態では、さらに、加熱及び／又は冷却装置のサンドイッチ体の通気層が、換気層自体から形成されることも考えられる。それゆえ、この実施形態では、加熱及び／又は冷却層は、換気層の部分に通気層として直接適用される。これに関連して、加熱及び／又は冷却層によって完全に換気層の広い面（表面に当たる側）を覆うことも考えられる。
【００１０】
加熱及び／又は冷却装置を別に存在するエアダクト、好ましくは換気層用の吸気ダクトの内部に配置する場合には、自動車の座席用の換気装置の特に単純な設計がさらにもたらされる。加熱及び／又は冷却装置のサンドイッチ体の吸気ダクトへのこの組み込みでは、構造的な変更がほとんど必要ない。特に、加熱及び／又は冷却装置がエアダクトの断面全体をふさぐので、空気を非常に効果的に加熱及び／又は冷却することが提供され得る。
【００１１】
加熱及び／又は冷却装置を吸気ダクトへ組み込むことによって、座席に簡単に取り付けることができる。それゆえ、例えば、加熱及び／又は冷却装置なしで座席を製造してもよく、加熱及び／又は冷却装置を、エアダクトの断面に適合しかつ取り付けられるように構成するモジュールとして構成する。
【００１２】
加熱及び／又は冷却装置を正確に制御するために、加熱及び／又は冷却装置の下流に温度センサを配置して、それを制御ユニットに接続して加熱及び／又は冷却装置を制御することを提供してもよい。温度センサを、加熱及び／又は冷却装置の下流のエアダクトに配置してもよいし、又は、取り付けを単純にするために、温度センサはモジュールとして構成された加熱及び／又は冷却装置に既に組み込まれていてもよい。
【００１３】
空気流の乱流及び／又は拡散流は、特に、複数のスペーサ糸、スペーサウェブ、スペーサワイヤなどを含む通気層の構造によって達成される。サンドイッチ体の前記通気層の考えられる設計は、例えば、独国特許発明第１９８  ０５  １７８Ｃ２号明細書から知られており、それは、換気された車両の座席のスペーサ編布に関するので、その内容について明確に説明する。ここでは、スペーサ編布は、スペーサ編布の外側の広い面に横断方向に延在しかつ乱流及び／又は拡散空気流が周りを循環できる複数のスペーサウェブ及び／又はスペーサ糸を含む。それゆえ、スペーサウェブ及び／又はスペーサ糸は、互いに対して特定のパターンで配置され、その結果、流れ方向及び流速に影響を与え得る。これに関連して、スペーサウェブ及び／又はスペーサ糸が、例えば円形、楕円形、矩形、四角形など非常に異なる断面形状を有してもよいことは注目に値する。それゆえ、スペーサウェブ及び／又はスペーサ糸は、互いに向きを合わせても向きを合わせなくてもよく、非常に異なる材料から構成される。スペーサウェブ及び／又はスペーサ糸を編布、織布又は組み紐として構成することが特に有利であることが判明した。しかしながら、同様に、スペーサ糸及び／又はスペーサウェブをウールのように向きを合わせずに配置することも考えられる。さらに、従来技術と比較してそのような編布、織布又は組み紐は貫流する空気に暖気／冷気を放散するために、空気が循環する表面積が全体的に大きいことが分かるであろう。
【００１４】
伝導性が良好な金属、例えば、アルミニウム又は銅合金などから通気層の構造を製造することが特に有利であることが示された。そのような金属糸は、循環している空気に暖気及び／又は冷気を放散するために特に好適である。空気が循環する複数のスペーサ糸、スペーサワイヤ及び／又はスペーサウェブの表面積が大きい結果、非常に効果的な加熱及び／又は冷却装置をもたらし得る。
【００１５】
スペーサウェブ、スペーサワイヤ又はスペーサ糸から造られた上述の構造はさらに、前記スペーサウェブ、スペーサワイヤ又はスペーサ糸を伸縮自在に弾性的に構成してもよい利点を有する。その結果、通気層、及び／又は加熱及び／又は冷却層と通気層とで構成されたサンドイッチ体全体を対応して単純な態様で、組立スペース、例えば換気層の吸気ダクトに適合させることが可能となる。これに関連して、加熱層を、薄層で変形可能な、好ましくは弾性層の形態の抵抗加熱体として構成することが特に有利であることが判明した。同様に、そのような薄層で変形可能な、好ましくは弾性の冷却層も、単独で又は加熱層と組み合わせて考えられる。
【００１６】
加熱及び／又は冷却層に暖気及び／又は冷気伝導性が良好な被覆層が関連付けられる場合に、特に高い加熱層の加熱能力及び／又は冷却層の冷却能力を達成し得、それにより、生じた暖気／冷気は加熱又は冷却層の内部に均一に分散される。この場合、特に、例えばアルミニウム又は銅合金製の金属膜又は金属シートが、好適であることが示されている。
【００１７】
加熱及び／又は冷却装置の特に効果的なサンドイッチ体が、少なくとも３つの通気層が設けられて、中心通気層と外側通気層との間にそれぞれ１つの加熱及び／又は冷却層が配置されることによって生じる。それゆえ、中心通気層には、側面にあるこれらの両方の加熱及び／又は冷却層から暖気及び／又は冷気が与えられるので、中心層を貫流する空気流は、特に迅速に加熱及び／又は冷却され得る。したがって、２つの外側通気層には隣接する加熱及び／又は冷却層によってのみ暖気及び／又は冷気が供給されるので、この領域においては、前記外側通気層を貫流する空気流の加熱及び／又は冷却は低減される。したがって、とりわけ、前記サンドイッチ体の周囲の構成部品、例えばハウジング又はそれに隣接する追加の部品などをオーバーヒーティングすることがないことが保証される。
【００１８】
複数の層を組み合わせてサンドイッチ体を形成することで、例えば各層の個別のスペーサウェブ、スペーサワイヤ又はスペーサ糸の間隔及び向きを可変とすることによって、その流れ抵抗を変えられるようにさらに設計してもよい。
【００１９】
最も単純な実施形態では、加熱及び／又は冷却層と通気層とで構成されたサンドイッチ体は、平面的な設計である。この場合、通気層、及びその間に配置された加熱及び／又は冷却層の数は、いずれの態様で選択及び／又は拡張してもよい。サンドイッチ体は、いずれの外形寸法を有してもよい。さらに、通気層と加熱及び／又は冷却層とで構成されたサンドイッチ体は、実質的に螺旋形状でもよく、断面においていずれの直径にも拡張できるように構成してもよい。
【００２０】
本発明のさらなる利点、特徴及び詳細は、以下の好ましい実施形態の説明から、ならびに図面を参照して明らかとなる。
【発明を実施するための最良の形態】
【００２１】
図１においては、座面（座面部）１０及び背もたれ１２を備える自動車の座席を、その縦断面に沿った概略的断面図で示す。この実施形態では、座面１０及び背もたれ１２はそれぞれ、パッド１８及び／又は２０にそれぞれ組み込まれる１つの換気装置１４及び／又は１６を備える。座面１０は、例えば合成材料から形成されたパッド支持シェル２４を有するシートフレーム２２（詳細には図示せず）を備え、その上に下部パッド層２６をパッドの最下層として載置する。この実施形態では、下部パッド層２６は、発泡材料から形成され、パッド支持シェル２４の全長及び全幅に延在する。下部パッド層２６には換気装置１４の換気層２８を載置し、この実施形態では換気層２８も、座面部分１０及び／又はパッド支持シェル２４のほぼ全長にわたって延在する。態様は以下詳細には説明しないが、空気が換気層の内部を循環及び／又は貫流し得るために、この実施形態では前記換気層を、例えば独国特許発明第１９８  ０５  １７８Ｃ２号明細書から公知のものなどの、目の粗いスペーサ編布から形成する。換気層２８の上には圧力分配層３０を置く。圧力分配層は、不織材料又は開放気孔発泡材料で構成され、透湿性であるように構成される。シート乗員側に面した座面１０のパッド１８の表面にわたって、この実施形態では革で構成されかつ均一に穿孔されたパッドカバー３２を張りわたす。パッドカバー３２と圧力分配層３０との間には、薄い発泡材料などで形成されたカバー充填材３５を組み込んでもよい。
【００２２】
この実施形態では、座面１０の換気装置１４は、４つの小型ファン３４を備え、そのうちの２つを図１に示す。ファン３４は、換気層２８のためのそれぞれ対応する吸気ダクト３６に配置され、２つの吸気ダクト３６を、下部パッド層２６のシリンダー状の凹部から実質的に形成する。吸気ダクト３６に適応される開口部は、パッド支持シェル２４の切抜き部である。この場合、ファン３４を、それぞれ対応する吸気ダクト３６の下端に配置する。矢印で示すように、空気が、ファン３４を介して座面１０の下部から吸い込まれ、吸気ダクト３６を介して換気層２８に吹き込まれる。ファン３４によって吹き込まれた空気は、換気層２８を吸気ダクト３６から空気吹出ダクト３８まで貫流する。空気吹出ダクトは、この実施形態では座面１０のパッド１８の前端部及び後端部に設けられる。それゆえ、ファン３４によって換気層２８に吹き込まれる比較的乾燥した空気は、その経路に沿って空気吹出口３８まで、シート乗員からパッドカバー３２内部の孔、透湿性の圧力分配層３０、及びおそらく圧力分配層３０とパッドカバー３２との間のカバー充填材３５を介して換気層２８に到達する水分を吸収する。それゆえ、換言すれば、換気層の内部を循環する空気を使用して、シート乗員によって分泌された水分を運び去って、シート乗員にとって快い着座状態をもたらす。この実施形態では、吸気ダクト３６の近傍において、換気装置１４は複数の加熱及び／又は冷却装置４０を備える。その運転モード及び構成を以下詳細に説明する。加熱及び／又は冷却装置４０によって、換気層２８の内部を循環する空気を、シート乗員が所望の温度に設定してもよい。所望の設定に依存して、冷風又は温風によってパッド１８、２０全体が暖められるか又は冷却される。背もたれ１２から、背もたれキャリア（図示せず）によって保持されかつパッド２０の後ろに離間して配置される後部パネル部材４２が実質的に見える。パッド２０は、発泡材料、ゴム引き毛（ｒｕｂｂｅｒｉｚｅｄ  ｈａｉｒ）などで形成された後部パッド層４４、これも発泡材料で形成された、前方に配置されたカバー層４６、その上に配置された、目の粗いスペーサ編布などで形成された換気層４８、それを覆って配置された、発泡材料又は不織材料で形成された追加のカバー層５０、ならびにシート乗員側に面するパッドカバー５２で実質的に構成される。背もたれ１２の上方の領域では、吸気ダクト５６の端部に配置されたファン５４が見えてもよい。座面１０に関連して既に説明した吸気ダクト５６を介して、順次換気層４８に空気が吹き込まれ、この場合、吸気ダクト５６の近傍に、換気層４８を貫流する空気を調整するための加熱及び／又は冷却装置５８がまた設けられる。換気層４８に入り込んだ空気は、背もたれ１２の下端にある空気吹出口６０を介して背もたれ１２から再び出てもよい。この実施形態では、空気の吸込みは、後部パネル部材４２とパッド２０との間の中間領域を介して起こり、パネル部材４２の下端に空気吸込口６２が見える。
【００２３】
図２では、概略的拡大断面図において、図１のＩＩで囲まれた部分の詳細を示し、これから、特に座面１０のパッド１８の換気層２８の内部への加熱及び／又は冷却装置４０の組み込みが見える。特に、加熱及び／又は冷却装置４０がサンドイッチ体６４を備え、その構成は、図３ａと３ｂを併せて見ると明瞭であることがわかる。
【００２４】
図３ａは、加熱及び／又は冷却装置４０のサンドイッチ体６４の概略的断面図を示す。しかしながら、この実施形態では、それは単に加熱装置として設計される。この場合サンドイッチ体６４は、以下詳細に説明する中心通気層６６、２つの外側通気層６８ならびに２つの加熱層７０で形成される。加熱層７０の代わりに又はそれに加えて、類似の態様で形成された冷却層を使用して、換気装置１４の加熱機能に加えて冷却機能を実装してもよい。サンドイッチ体６４の周囲は、すなわち空気吸込及び空気吹出側を除いて、好ましくは合成材料で構成されるハウジング７２に取り囲まれる。そのようにする代わりにサンドイッチ体６４を、ハウジング７２を用いずに形成し、換気層２８に配置してもよい。ファン３４によって生成された空気流が３つの通気層６６、６８を貫流する。中心通気層６６とそれぞれ関連する外側通気層６８との間に配置された加熱層７０はそれぞれ、電流が供給されかつこの場合、薄層の変形可能な弾性層７４として構成され得る抵抗加熱体を備える。冷却層として構成された層を、例えばペルチェ素子を備えて類似の態様で形成できる。熱伝導性が良好な被覆層７６を、２つの加熱層７０に関連付けて設けてあり、その加熱層は、それぞれ、中心通気層６６の広い面に取り付けられ、好ましくは熱伝導性が良好な金属薄膜又は金属シートでできており、特にアルミニウム又は銅合金製である。この実施形態では、全層６６、６８、７４、７６を、平面的に及び互いに密接させて構成する。
【００２５】
サンドイッチ体６４の上流に取り付けられたファン３４によって空気流が生成される場合には、前記空気流は、サンドイッチ体６４のそれぞれ狭い面（断面に当たる側）を介して、中心通気層６６ならびに２つの外側通気層６８に入る。この実施形態では、３つの通気層６６、６８は、以下図６ａ及び６ｂを参照して詳細に説明する、複数のスペーサ糸及び／又はスペーサウェブで構成されるスペーサ編布から形成される。この場合スペーサ糸及び／又はスペーサウェブは、空気流の流れ方向を実質的に横断して及び／又は通気層６６、６８の広い面を横断して延在する。そのようなスペーサ編布の代わりに、複数のスペーサ糸などから形成される織布、組み紐又はウールタイプのパターンも使用してもよい。換言すれば、スペーサウェブ及び／又はスペーサ糸を、互いに向きを合わせて、あるいはウールによくあるように、互いに向きを合わせずに配置してもよい。したがって、ファン３４によって生成された空気流は、個別の通気層６６、６８を貫流する場合には、スペーサ糸及び／又はスペーサウェブで頻繁に偏向され、個別の通気層６６、６８内では短い経路の後に既に乱拡散流が確立される。層流と比べて、スペーサ糸及び／又はスペーサウェブによって生じた前記拡散流は、対応する通気層６６、６８の内部に長く留まり、したがって、抵抗加熱層７４及び被覆層７６から構成される加熱素子７０を介して暖気（及び／又は冷却層では冷気）をより吸収し得る。個別の通気層６６、６８の内部の空気流の拡散分布は、個々の境界層が個別の加熱層７０と接触するだけでなく、さらに、空気流を混合することによって効率的で均一な分布を達成できるという結果ももたらす。
【００２６】
２つの外側通気層６８がそれぞれ、中心層６６に向くそれらの広い面において、加熱層７０及び／又はその抵抗加熱層７４と接触しているという事実のために、所望であれば、個別の外側通気層６８を通過する２つの空気流を、中心通気層６６を通過する空気流よりも加熱しない（及び／又は冷却層７０では冷却しない）ことを達成してもよい。その結果、換気層２８の周辺層が、中心領域のような高温にさらされないということを達成し得る。換言すれば、通気層６８を貫流する２つの空気部分流が、中心の、より暖かい空気部分流の熱絶縁体のような役割を果たす。
【００２７】
さらに、中心通気層６６は、前記層の側面にある２つの外側通気層６８よりも高い流れ抵抗を有してもよい。高い流れ抵抗は、中心通気層６６のスペーサ糸及び／又はスペーサウェブをより密接させて配置し、ゆえに編布又は織布全体を、２つの外側通気層６８の構造よりも目が細かく及び／又は密に形成することによって達成される。その結果、通気層６６、６８の吸込側における全空気流の流入速度が同じである場合、中心層６６を通る空気部分流は、２つの外側層６８を通過する２つの空気部分流よりも前記中心層をゆっくりと貫流することが達成される。したがって、速度が異なる結果、個々の空気流によってより多い又はより少ない暖気（及び／又は冷却層においては冷気）が吸収され得る。さらに、出口側では、任意に空気流全体の所望の層化、すなわち中心の暖かい空気流と、２つの外側の、中心よりもわずかに暖かくない空気流とを有することを達成し得る。
【００２８】
図３ｂは、サンドイッチ体６４のさらなる実施形態の概略的断面図を示す。点線で示すように、サンドイッチ体６４は、中心通気層６６を１つ以上にすることによって拡張でき、その厚さを変えることができる。ここで示す実施形態においては、個々の層６６、６８の間にそれぞれ少なくとも１つの加熱及び／又は冷却層７０を設けて、３つの中心層６６ならびに外側にある１つの個別の外側層６８を配置する。それゆえ、サンドイッチ体６４をハウジング７２の内部に配置する。図３ｂにおいて、一番上の加熱層７０は図３ａによる一番上の加熱層７０と同一であるが、上から見て、上から２番目及び上から３番目の加熱層７０’、７０”は、それぞれ異なる構成を有する。上下にある中心層６６に直接取り付けられた上から２番目の加熱層７０’においては、熱伝導性が良好な金属シート又は金属膜から形成した１つの個別の被覆層７６が設けられる。それぞれ１つの抵抗加熱層７４が、２つの被覆層７６のそれぞれに関連付けられる。上から３番目の加熱層７０”の構成は上から２番目加熱層７０’のこの構成とは異なり、２つの抵抗加熱層７４の代わりに、１つのみを２つの被覆層７６の間に配置して、前記２つの被覆層７６を加熱する。
【００２９】
図４ａは、吸気ダクト３６の内部のサンドイッチ体６４が換気層２８と関連付けられる、座面１０のパッド１８を通る概略的拡大断面図を示す。このようにするために、吸気ダクト３６をパッド１８から側方向に及び下方に移動させる。全体として、吸気ダクト３６は略Ｌ字形の管状コネクタとなる。パッド１８から離れた吸気ダクトの自由端において、開口部７８を介してエアダクト３６に新鮮な空気を供給し得るファン３４を設ける。サンドイッチ体６４を図２及び３ａのサンドイッチ体にしたがって設計するので、詳細に説明する必要はない。ファン３４によって生じた空気流はサンドイッチ体６４を貫流後、矢印に示すように、換気層２８に入って、空気吹出口３８に向かってあらゆる方向へ広がる。良好な制御性を達成するために、サンドイッチ体６４の下流に公知の温度センサ（図４には図示せず）を配置して、それにより空気流の温度を測定し、前記温度を制御ユニットに転送することを提供してもよい。
【００３０】
図４ｂも、例えば図５ａ及び５ｂにしたがって形成されたサンドイッチ体６４が換気層２８の吸気ダクト３６の内部に配置された、座面１０のパッド１８を通る概略的拡大断面図を示す。換言すれば、加熱及び／又は冷却装置４０のサンドイッチ体６４は、パッド支持部分２４及び下部パッド層２６にある凹部によって形成された吸気ダクト３６の内部に配置されるので、パッド層２６によって取り囲まれる。それゆえ、ファン３４をパッド支持部分２４の下面に締結する。
【００３１】
図５ａは、吸気ダクト３６の内部に配置されたサンドイッチ体６４の概略的斜視図を示す。サンドイッチ体６４は、実質的に加熱層７０と通気層６６とで構成され、断面が略円形の螺旋形を形成するように巻かれている。通気層が加熱層７０の周囲をすっかり取り囲むように、前記通気層６６を構成する。次に加熱層７０は、好ましくは金属膜又は金属シートで形成された被覆層７６によって、両方の広い面においてそれぞれ覆われている抵抗加熱層７４から構成される。この場合においても、通気層６６の中心部分の両方の広い面において、加熱層７０が側面にあることが分かるであろう。したがってこれらの領域において、空気流を強力に加熱することが可能となる。
【００３２】
したがって、通気層６６の外側領域を貫流する空気流の部分は、上述の全体の空気流の内部部分ほど加熱されない。それゆえ、その結果、断面から見て、中心の空気部分流が、空気流の外側部分よりも強力に加熱され、空気流全体の層化も可能となる。通気層３０も、可変の流れ抵抗を有する複数の部分を含んでもよいことが明白である。さらに、この場合、加熱層７０の代わりに又はそれに追加して冷却層を設けてもよい。
【００３３】
図５ｂ及び５ｃそれぞれにおいて、サンドイッチ体６４の概略的断面図を示す。この場合サンドイッチ体６４は、全体として断面が略円形及び／又は楕円形でありかつ加熱層７０によって周囲を囲まれる中心通気層６６を備える。加熱層７０は、金属シート又は金属膜で形成された通気層６６の外周側に取り付けられた被覆層７６を備え、次にその外側が抵抗加熱層７４によって取り囲まれる。加熱層７０の外側の周囲に、外側通気層６８を設ける。
【００３４】
図６ａ及び６ｂでは、通気層６６、６８の可能な構造８０の概略的平面図及び／又は図６ａの線ＶＩｂ−ＶＩｂに沿った概略的断面図を示す。この場合、構造８０は、上部及び下部の広い面において、ハニカム構造の形態の１つの個別の被覆層を包囲する、いわゆるスペーサ編布から構成される。上部被覆層８２と下部被覆層８２との間に複数のスペーサ糸及び／又はスペーサウェブ８４が延在し、それは、２つの被覆層８２の実質的に横断方向に延在する。この場合、スペーサ糸及び／又はスペーサウェブ８４の互いに対する向き及び間隔によって、構造８０の流れ抵抗を変えてもよく、したがって構造８０を通過する空気流の流速を設定してもよい。この実施形態では、スペーサ糸又はスペーサウェブ８４は、特に、合成材料からできていてもよい。特定の実施形態では、スペーサ糸又はスペーサウェブ８４の代わりに、好ましくはアルミニウム合金又は銅合金などの熱伝導性が良好な金属製のスペーサワイヤなどを使用してもよい。金属ワイヤも、空気流の乱流及び／又は拡散流においてとりわけ容易に、加熱及び／又は冷却層４０によって生じた暖気及び／又は冷気の温度を上昇させることができる点において、そのような金属ワイヤは合成糸と比較して利点を有する。
【００３５】
図７ａ及び７ｂでは、さらなる実施形態による通気層６６、６８の構造８０の概略的平面図及び／又は図７ａにおける線ＶＩＩｂ−ＶＩＩｂに沿った層状の概略図を示す。この場合、スペーサウェブ及び／又はスペーサワイヤ８６は、構造８０の２つの広い面に対して垂直に延在する。この場合、図７ａに示すようにスペーサウェブ及び／又はスペーサワイヤ８６を、互いに列をなして配置する。
【００３６】
図８ａ及び８ｂでは、構造８０の２つの広い面の間にスペーサウェブ８８が実質的に矩形断面で延在する、さらなる構造８０の概略的平面図及び／又は図８ａにおける線ＶＩＩＩｂ−ＶＩＩＩｂに沿った概略的断面図を示す。しかしながら、代替的な実施形態においてスペーサウェブ８８の配置を平面図で示す図９と共に示すように、ウェブを、通気層を貫流する空気流の流れ方向に対して長手方向に、横断方向に又は、斜め方向に位置合わせしてもよいことが分かる。
【００３７】
最後に、図１０ａ及び１０ｂは、スペーサ糸、スペーサウェブ又はスペーサワイヤが、ウールのように互いに向きを合わせられていない構造８０の概略的平面図及び／又は図１０ａにおける線Ｘｂ−Ｘｂに沿った断面図において示す。この場合スペーサ糸、スペーサウェブ又はスペーサワイヤは、特に、合成材料又は金属製でもよい。
【図面の簡単な説明】
【００３８】
【図１】パッドが換気装置を備える、座面及び背もたれを有する自動車の座席の中心縦断面に沿った概略的断面図を示す。
【図２】換気装置の加熱及び／又は冷却装置のサンドイッチ体が換気層の内部に配置されたシートパッドを通る、図１におけるＩＩで囲まれた部分の詳細な概略的拡大断面図を示す。
【図３ａ】換気装置の加熱及び／又は冷却装置のサンドイッチ体の概略的断面図を示す。
【図３ｂ】換気装置の加熱及び／又は冷却装置のサンドイッチ体の概略的断面図を示す。
【図４ａ】座面の下においてサンドイッチ体が換気層用の吸気ダクトの内部に配置された、図２によるシートパッドを通る概略的拡大断面図をそれぞれ示す。
【図４ｂ】座面に取り囲まれてサンドイッチ体が換気層用の吸気ダクトの内部に配置された、図２によるシートパッドを通る概略的拡大断面図をそれぞれ示す。
【図５ａ】実質的に螺旋形態に巻かれ、換気層の吸気ダクトの内部に配置された、通気層と加熱及び／又は冷却層とで構成されたサンドイッチ体の概略的斜視図を示す。
【図５ｂ】中心通気層の周囲が加熱及び／又は冷却層ならびに追加の通気層によって囲まれた、円形のサンドイッチ体を通る概略的断面図を示す。
【図５ｃ】中心通気層の周囲が加熱及び／又は冷却層ならびに追加の通気層によって囲まれた、楕円形のサンドイッチ体を通る概略的断面図を示す。
【図６ａ】通気層の構造の平面図を示す。
【図６ｂ】図６ａにおける通気層の構造を通る線ＶＩｂ−ＶＩｂに沿った断面図を示す。
【図７ａ】第２の実施形態による通気層の構造の平面図を示す。
【図７ｂ】図７ａにおける通気層の構造を通る線ＶＩＩｂ−ＶＩＩｂに沿った断面図を示す。
【図８ａ】第３の実施形態による通気層の構造の概略的平面図を示す。
【図８ｂ】図８ａにおける通気層の構造を通る線ＶＩＩＩｂ−ＶＩＩＩｂに沿った概略的断面図を示す。
【図９】第４の実施形態による通気層の構造の概略的平面図を示す。
【図１０ａ】第５の実施形態による通気層の構造の概略的平面図を示す。
【図１０ｂ】図１０ａにおける通気層の構造を通る線Ｘｂ−Ｘｂに沿った断面図を示す。
【図１】
2009502279.tif 000003
【図２】
2009502279.tif 000004
【図３ａ】
2009502279.tif 000005
【図３ｂ】
2009502279.tif 000006
【図４ａ】
2009502279.tif 000007
【図４ｂ】
2009502279.tif 000008
【図５ａ】
2009502279.tif 000009
【図５ｂ】
2009502279.tif 000010
【図５ｃ】
2009502279.tif 000011
【図６ａ】
2009502279.tif 000012
【図６ｂ】
2009502279.tif 000013
【図７ａ】
2009502279.tif 000014
【図７ｂ】
2009502279.tif 000015
【図８ａ】
2009502279.tif 000016
【図８ｂ】
2009502279.tif 000017
【図９】
2009502279.tif 000018
【図１０ａ】
2009502279.tif 000019
【図１０ｂ】
2009502279.tif 000020
【国際調査報告】
2009502279.tif 000021
2009502279.tif 000022
2009502279.tif 000023
2009502279.tif 000024